(57)【要約】【課題】任意の商品載置棚の上方域を局所的に冷却することができるショーケースを提供すること。【解決手段】ケース本体１の収納室２を画成する背面パネル３に上下方向に沿って複数段設けられた商品載置棚２１〜２７と、収納室２の内部と外部との間で空気を循環させる空気循環手段１０と、空気循環手段１０により循環される空気を冷却する蒸発器１５とを備えたショーケースにおいて、任意の商品載置棚２６，２７の前端部に配設され、かつ該商品載置棚２６，２７の上方域を必要に応じて閉塞する前方閉塞部材４０と、蒸発器１５により冷却された空気の一部を背面パネル３に形成された導入口５０より上方域に流入させる導入ファンＦ２と、商品載置棚２６，２７における前方閉塞部材４０の配設個所近傍に設けられ、導入ファンＦ２により流入された空気を該上方域外部に吐出する吐出口４１１とを備えたものである。【選択図】図１
2012010717.tif 000002
【特許請求の範囲】
【請求項１】
前面に開口が形成された断熱筐体のケース本体と、
前記ケース本体の内部の収納室において該収納室を画成する背面パネルに上下方向に沿って複数段設けられ、かつ収納対象である商品を載置する商品載置棚と、
前記収納室の内部と外部との間で空気を循環させる空気循環手段と、
前記ケース本体内部における前記収納室外に配設され、前記空気循環手段により循環される空気を冷却する冷却手段と
を備え、
前記商品載置棚に載置された商品を所望の温度状態に保持するようにしたショーケースにおいて、
任意の商品載置棚の前端部に配設され、かつ該商品載置棚の上方域を必要に応じて閉塞する前方閉塞部材と、
前記冷却手段により冷却された空気の一部を導入し、導入した空気を前記空気循環手段とは別個となる態様で前記背面パネルに形成された導入口を通じて前記上方域に流入させる冷気導入手段と、
前記商品載置棚における前記前方閉塞部材の配設個所近傍に設けられ、前記冷気導入手段により流入された空気を該上方域外部に吐出する吐出口と
を備えたことを特徴とするショーケース。
【請求項２】
必要に応じて前記導入口を通じての冷気の導入を許容、あるいは規制するシャッタ機構を備えたことを特徴とする請求項１に記載のショーケース。
【請求項３】
前記前方閉塞部材が設けられた商品載置棚の棚下に配設され、該商品載置棚に載置された商品を冷却する蓄冷材を備えたことを特徴とする請求項１又は請求項２に記載のショーケース。
【請求項４】
前記吐出口が空気の流れを整える整流部材により構成されたことを特徴とする請求項１〜３のいずれか一つに記載のショーケース。
【発明の詳細な説明】
【技術分野】
【０００１】
本発明は、ショーケースに関し、より詳細には、収納対象となる商品を所望の温度状態に保持するようにしたショーケースの改良に関するものである。
【背景技術】
【０００２】
従来、収納対象となる商品を所望の温度状態に保持するようにしたショーケースとして、次のようなものが知られている。例えば、前面に開口が形成されたケース本体の収納室に複数の商品載置棚が上下方向に沿って複数段設けられており、それぞれの商品載置棚に商品が載置されている。また、ケース本体内であって上記収納室外となる個所には、吸込口を通じて吸い込んだ収納室内部の空気を冷却する冷却器が配設されており、この冷却器で冷却された空気が吹出口から収納室内部に吹き出されることにより、商品載置棚に載置された商品が所望の温度状態に調整されることになる。
【０００３】
かかるショーケースにおいては、任意の商品載置棚に収納ボックスが載置されたものが知られている。収納ボックスは、前方に商品取出口が前扉により開放、あるいは閉塞される態様で形成されるとともに、後方に後方開口部が形成されたものである。
【０００４】
このようなショーケースでは、冷却器で冷却された空気の一部を、上記後方開口部を通じて収納ボックスに流入させ、一旦流入させた空気を後方開口部から流出させて該収納ボックスの上方域を通過させるようにして、該収納ボックスの内部を局所的に冷却させるようにしたものである（例えば、特許文献１及び特許文献２参照）。
【先行技術文献】
【特許文献】
【０００５】
【特許文献１】特開２００９−２２２２９０号公報
【特許文献２】特開２００９−２１９６２１号公報
【発明の概要】
【発明が解決しようとする課題】
【０００６】
しかしながら、上述した特許文献１に提案されているようなショーケースでは、後方開口部を通じて冷却器で冷却された空気の一部を収納ボックスの内部に流入させ、一旦流入させた空気を該後方開口部から流出させるようにしていたために、次のような問題があった。すなわち、同一の開口（後方側開口部）で空気の流入と流出とを行うこととなり、しかも収納ボックスの前方域は閉塞されていたために、該開口から流入した空気は、収納ボックスの前方域まで至らず、結果的に、収納ボックスの内部を十分に局所的に冷却させることが困難であり、これにより任意の商品載置棚の上方域を局所的に良好に冷却することができなかった。
【０００７】
本発明は、上記実情に鑑みて、任意の商品載置棚の上方域を局所的に冷却することができるショーケースを提供することを目的とする。
【課題を解決するための手段】
【０００８】
上記目的を達成するために、本発明の請求項１に係るショーケースは、前面に開口が形成された断熱筐体のケース本体と、前記ケース本体の内部の収納室において該収納室を画成する背面パネルに上下方向に沿って複数段設けられ、かつ収納対象である商品を載置する商品載置棚と、前記収納室の内部と外部との間で空気を循環させる空気循環手段と、前記ケース本体内部における前記収納室外に配設され、前記空気循環手段により循環される空気を冷却する冷却手段とを備え、前記商品載置棚に載置された商品を所望の温度状態に保持するようにしたショーケースにおいて、任意の商品載置棚の前端部に配設され、かつ該商品載置棚の上方域を必要に応じて閉塞する前方閉塞部材と、前記冷却手段により冷却された空気の一部を導入し、導入した空気を前記空気循環手段とは別個となる態様で前記背面パネルに形成された導入口を通じて前記上方域に流入させる冷気導入手段と、前記商品載置棚における前記前方閉塞部材の配設個所近傍に設けられ、前記冷気導入手段により流入された空気を該上方域外部に吐出する吐出口とを備えたことを特徴とする。
【０００９】
また、本発明の請求項２に係るショーケースは、上述した請求項１において、前記導入口を必要に応じて閉成させるシャッタ機構を備えたことを特徴とする。
【００１０】
また、本発明の請求項３に係るショーケースは、上述した請求項１又は請求項２において、前記前方閉塞部材が設けられた商品載置棚の棚下に配設され、該商品載置棚に載置された商品を冷却する蓄冷材を備えたことを特徴とする。
【００１１】
また、本発明の請求項４に係るショーケースは、上述した請求項１〜３のいずれか一つにおいて、前記吐出口が空気の流れを整える整流部材により構成されたことを特徴とする。
【発明の効果】
【００１２】
本発明によれば、任意の商品載置棚の前端部に配設された前方閉塞部材が該商品載置棚の上方域を必要に応じて閉塞し、冷気導入手段が、冷却手段により冷却された空気の一部を導入し、導入した空気を空気循環手段とは別個となる態様で背面パネルに形成された導入口を通じて上方域に流入させ、商品載置棚における前方閉塞部材の配設個所近傍に設けられた吐出口を通じて冷気導入手段により流入された空気を該上方域外部に吐出するようにしたので、当該上方域の全域に冷却手段で冷却された空気の一部を通過させることが可能になり、これにより当該商品載置棚の上方域を局所的に冷却することができるという効果を奏する。
【図面の簡単な説明】
【００１３】
【図１】図１は、本発明の実施の形態１であるショーケースの内部構造を側方から見た場合を示す断面側面図である。
【図２】図２は、図１に示した商品載置棚の要部を分解して示す分解斜視図である。
【図３】図３は、図１に示した商品載置棚の要部を模式的に示す断面側面図である。
【図４】図４は、図１に示したショーケースにおいて商品載置棚が引出操作された場合を示す断面側面図である。
【図５】図５は、図１に示したショーケースにおいてシャッタ機構が閉成した状態を示す断面側面図である。
【図６】図６は、本発明の実施の形態１であるショーケースの変形例を示すもので、棚板の下部に蓄冷材を設けられた状態を示す説明図である。
【図７】図７は、本発明の実施の形態２であるショーケースの内部構造を側方から見た場合を示す断面側面図である。
【図８】図８は、図７に示した最上位の商品載置棚を拡大して示す説明図である。
【図９】図９は、本発明の実施の形態２であるショーケースの変形例の内部構造を側方から見た場合を示す断面側面図である。
【発明を実施するための形態】
【００１４】
以下に添付図面を参照して、本発明に係るショーケースの好適な実施の形態について詳細に説明する。
【００１５】
＜実施の形態１＞
図１は、本発明の実施の形態１であるショーケースの内部構造を側方から見た場合を示す断面側面図である。ここで例示するショーケースは、ケース本体１を備えている。
【００１６】
ケース本体１は、前面に開口（前面開口）１ａが形成された略直方状の断熱筐体であり、その内部には収納室２が画成してあるとともに、空気循環手段１０が設けてある。
【００１７】
収納室２は、上記前面開口１ａを臨む態様で画成された域であり、複数（図示の例では７つ）の商品載置棚２１〜２７が上下方向に沿って複数段に並べて配設してある。商品載置棚２１〜２７は、それぞれ商品を載置するためのものである。かかる商品載置棚２１〜２７の構成については後述する。
【００１８】
空気循環手段１０は、空気通路１１と循環ファンＦ１とを備えて構成してある。空気通路１１は、吸込口１２から吹出口１３に至る空気の通路である。ここで、吸込口１２は、収納室２の内部の空気を吸い込むための開口であり、収納室２の左右方向に沿って延設してある。この吸込口１２は、収納室２の下側前方縁部、すなわちケース本体１の前面開口１ａ近傍の下部に配設してある。吹出口１３は、図示の例では２つ設けてあり、収納室２の内部に空気を吹き出すための開口である。これら吹出口１３は、それぞれが収納室２の左右方向に沿って延設してあって、収納室２の上側前方縁部、すなわちケース本体１の前面開口１ａ近傍の上部に前後に並ぶよう設けてある。
【００１９】
このような空気通路１１は、収納室２外であってその下方にある下方ダクト１１ａと、収納室２外であってその背面側にある背面ダクト１１ｂと、収納室２外であってその上方にある上方ダクト１１ｃとを互いに連通して構成されるものである。また、空気通路１１は、下方ダクト１１ａの途中から２つに分かれており、外方通路１４ａが一方の吹出口１３（以下、前側吹出口１３ａともいう）に通じ、内方通路１４ｂが吹出口１３（以下、後側吹出口１３ｂともいう）に通じている。
【００２０】
循環ファンＦ１は、空気を循環させるものであり、下方ダクト１１ａの所定部位に配設してある。本実施の形態１においては、循環ファンＦ１は下方ダクト１１ａの所定部位に配設してあるが、本発明では、循環ファンＦ１の配設位置は特に限定されるものではなく、後述する循環ファンＦ１の機能を発揮することができる個所であればどこに配設しても構わない。
【００２１】
このような空気循環手段１０においては、循環ファンＦ１が駆動することにより、収納室２の内部にある空気を吸込口１２を通じて吸い込み、吸い込んだ空気が下方ダクト１１ａを通過して外方通路１４ａ及び内方通路１４ｂをそれぞれ通過する態様で該空気を吹出口１３まで送出し、吹出口１３を通じて送出した空気を収納室２の内部に吹き出すことにより、収納室２の内部と外部との間で空気を循環させるものである。
【００２２】
上記空気通路１１の内方通路１４ｂには、蒸発器（冷却手段）１５が設けてある。蒸発器１５は、図には明示しないが、圧縮機、凝縮器及び膨張機構とともに冷媒を循環させる冷媒循環手段を構成する。ここで、圧縮機は、冷媒を圧縮するものであり、凝縮器は、圧縮機で圧縮された冷媒を凝縮させるものである。膨張機構は、凝縮器で凝縮させた冷媒を断熱膨張させて低温低圧の状態にさせるためのものである。
【００２３】
蒸発器１５は、循環ファンＦ１が駆動することにより下方から上方に向けて内方通路１４ｂを通過する空気と、膨張機構で断熱膨張させた冷媒とを熱交換させるもの、より詳細には、冷媒を蒸発させることにより内方通路１４ｂを通過する空気を冷却するものである。この蒸発器１５で蒸発した冷媒は、再び圧縮機に戻り圧縮されることになる。
【００２４】
上記商品載置棚２１〜２７のうち、上から６段目の商品載置棚２６と最下段の商品載置棚２７とは、次のような構成を有している。
【００２５】
図２は、図１に示した商品載置棚２６の要部を分解して示す分解斜視図である。尚、商品載置棚２７も同様の構成を有しているため、ここでは商品載置棚２６についてのみ説明する。この図２に示すように、上記商品載置棚２６は、棚板２８、ブラケット２９及びレール部材３０を備えて構成してある。
【００２６】
棚板２８は、例えば鋼板等を適宜屈曲させて形成した平板状をなすものである。この棚板２８の上面２８１は、収納対象となる商品を載置する商品載置面を構成している。また、棚板２８の両側部における下面には、鋼板等から形成された棚板補強材２８２がそれぞれ配設してあり、該棚板補強材２８２には、２つの棚板ローラ部材２８３が前後に並ぶ態様でネジ２８４等により固定してある。より詳細には、後方側の棚板ローラ部材２８３が前方側の棚板ローラ部材２８３よりもやや下方となる位置に固定してある。これら棚板ローラ部材２８３は、ネジ２８４の軸心回りに回転自在に配設してある。尚、図２は、商品載置棚２６の左側部における要部を示しているが、商品載置棚２６の右側部においても同様の構成要素を有しており、図示の例と左右反転した状態で構成されている。ここで本実施の形態１において、左側とは、ショーケースを正面から見た場合の左方を示し、右側とは、ショーケースを正面から見た場合の右方を示すものとする。
【００２７】
ブラケット２９は、例えば鋼板等を加工して形成され、左右一対となるものである。これらブラケット２９は、前後方向が長手方向となる長尺板状部材であり、それぞれケース本体１の収納室２の背面を構成する背面パネル３に支持されて配設してある。より詳細には、各ブラケット２９の後端部に配設された係合片２９１が、該背面パネル３に形成された係合孔（図示せず）に挿通することにより支持されて配設してある。
【００２８】
このようなブラケット２９においては、左側に配設されたブラケット２９の右側面、並びに右側に配設されたブラケット２９の左側面の前方側には、それぞれ２つのブラケットローラ部材２９２が前後に並ぶ態様でネジ２９３等により固定してある。より詳細には、後方側のブラケットローラ部材２９２が前方側のブラケットローラ部材２９２よりもやや下方となる位置に固定してある。これらブラケットローラ部材２９２は、ネジ２９３の軸心回りに回転自在に配設してある。
【００２９】
レール部材３０は、棚板レール部３０１とブラケットレール部３０２とが互いに接合されて構成したものである。
【００３０】
棚板レール部３０１は、縦断面が略コ字状をなし、前後方向が長手方向となる長尺棒状体である。この棚板レール部３０１は、上下方向に沿って延在する基部３０１１と、基部３０１１の上端から水平方向に延在する上部水平延在部３０１２と、上部水平延在部３０１２の延在端部より下方に向けて僅かに延在する垂下部３０１３と、基部３０１１の下端から水平方向に延在する下部水平延在部３０１４と、下部水平延在部３０１４の延在端部より上方に向けて僅かに延在する垂上部３０１５とを有して構成してある。ここで上部水平延在部３０１２と下部水平延在部３０１４との離間距離は、棚板ローラ部材２８３が進入可能な大きさを有しており、進入した棚板ローラ部材２８３は、下部水平延在部３０１４の上面を転動面として前後方向に沿って相対的に移動することになる。また垂上部３０１５の延在長さは、上部水平延在部３０１２と下部水平延在部３０１４との間に進入した棚板ローラ部材２８３が左右方向に相対的に移動して抜け出すことを規制することができる大きさに調整してある。また、基部３０１１における前端部には、上部水平延在部３０１２の下方側であって、下部水平延在部３０１４の上方側となる領域に突出する態様で前方側規制片３０１６が配設してある。
【００３１】
ブラケットレール部３０２は、縦断面が略コ字状をなし、前後方向が長手方向となる長尺棒状体である。このブラケットレール部３０２は、上下方向に沿って延在する基部３０２１と、基部３０２１の上端から水平方向に延在する上部水平延在部３０２２と、上部水平延在部３０２２の延在端部より下方に向けて僅かに延在する垂下部３０２３と、基部３０２１の下端から水平方向に延在する下部水平延在部３０２４と、下部水平延在部３０２４の延在端部より上方に向けて僅かに延在する垂上部３０２５とを有して構成してある。ここで上部水平延在部３０２２と下部水平延在部３０２４との離間距離は、ブラケットローラ部材２９２が進入可能な大きさを有しており、進入したブラケットローラ部材２９２は、下部水平延在部３０２４の上面を転動面として前後方向に沿って相対的に移動することになる。また垂下部３０２３の延在長さは、上部水平延在部３０２２と下部水平延在部３０２４との間に進入したブラケットローラ部材２９２が左右方向に相対的に移動して抜け出すことを規制することができる大きさに調整してある。また、基部３０２１における後端部には、上部水平延在部３０２２の下方側であって、下部水平延在部３０２４の上方側となる領域に突出する態様で後方側規制片３０２６が配設してある。
【００３２】
また、ブラケットレール部３０２の上部水平延在部３０２２の後方側には、切欠部３０２２ａが形成してある。この切欠部３０２２ａは、ブラケットローラ部材２９２が通過することが可能な大きさを有している。
【００３３】
これら棚板レール部３０１とブラケットレール部３０２とが、互いに背中合わせとなる態様で、すなわち互いの基部３０１１，３０２１どうしが接する態様で溶接接合されてレール部材３０が構成してある。
【００３４】
そして、レール部材３０のブラケットレール部３０２における前方側開放端よりブラケットローラ部材２９２を進入させた後、レール部材３０の棚板レール部３０１における後方側開放端より棚板ローラ部材２８３を進入させる。これにより棚板２８がブラケット２９にレール部材３０を介在させて係合され、商品載置棚２６が構成される。その後、棚板２８を後方側に向けて移動させて収納位置に位置させると、商品載置棚２６は、図１及び図３に示すように収納姿勢となる。ここで図３は、図１に示した商品載置棚２６の要部を側方から見た場合を示す断面側面図である。この図３で示されるように、レール部材３０は、棚板ローラ部材２８３及びブラケットローラ部材２９２の配設関係により、前方に向かうに連れて漸次上方に傾斜する姿勢となっている。
【００３５】
商品載置棚２６が収納姿勢にある状態から、棚板２８を前方に向けて移動させると、棚板ローラ部材２８３が、棚板レール部３０１を前方に向けて相対的に移動する。そして前方側の棚板ローラ部材２８３が前方側規制片３０１６に当接すると、レール部材３０（ブラケットレール部３０２）がブラケットローラ部材２９２に対して前方に向けて相対的に移動する。換言すると、ブラケットローラ部材２９２が、ブラケットレール部３０２を後方に向けて相対的に移動する。そして、図３の二点鎖線で示すように、後方側のブラケットローラ部材２９２が後方側規制片３０２６に当接すると、棚板２８の前方に向けての移動が規制され、商品載置棚２６は補充姿勢となる。
【００３６】
このような補充姿勢となる商品載置棚２６を上記収納姿勢にする場合には、棚板２８をフリーな状態にさせればよい。フリーな状態になると、レール部材３０が傾斜姿勢となっていることから、棚板２８及び該棚板２８に載置される商品の重量により後方側に向けて移動し、収納位置に位置することで、図３の実線で示すように、商品載置棚２６が収納姿勢になる。
【００３７】
このような棚板２８が前後方向に沿って移動可能な商品載置棚、すなわち上から６段目の商品載置棚２６及び最下段の商品載置棚２７には、水平前延部４１を介して前方閉塞部材４０が取り付けてある。前方閉塞部材４０は、例えば透光性のある樹脂材から形成されるもので閉塞部４２を備えている。
【００３８】
水平前延部４１は、商品載置棚２６，２７を構成し、棚板２８の前端部から前方に向けて延在する部位であり、左右幅が棚板２８の左右幅と等しい大きさを有している。この水平前延部４１には、スリットが形成してあり、かかるスリットにより形成される開口が吐出口４１１を構成している。
【００３９】
閉塞部４２は、水平前延部４１の延在端部、すなわち前端部から上下方向に沿って延在するものである。より詳細には、前方に向かうに連れて漸次後方に向けて傾斜し、下方に向かうに連れて漸次前方に向けて傾斜する態様で延在するものである。かかる閉塞部４２の前面には、図には明示しないが把手部が設けてある。
【００４０】
このような前方閉塞部材４０は、上から６段目の商品載置棚２６に取り付けたものでは、棚板２８が収納位置に位置する場合に、自身の閉塞部４２の上縁部が当該商品載置棚２６の上方域に設けられた水平天板部４３と接合して、該商品載置棚２６の上方域を閉塞するものである（図１参照）。
【００４１】
また、最下段の商品載置棚２７に取り付けられた前方閉塞部材４０は、棚板２８が収納位置に位置する場合に、閉塞部４２の上縁部が当該商品載置棚２７の直上の商品載置棚２６に取り付けられた前方閉塞部材４０の閉塞部４２の下縁部に接合して、該商品載置棚２７の上方域を閉塞するものである（図１参照）。
【００４２】
そして、このような前方閉塞部材４０は、自身の閉塞部４２の前面に設けられた把手部が把持されて前方に引き出されることにより、図４に示すように、棚板２８とともに前方に向けて移動するものである。このように前方閉塞部材４０が棚板２８とともに前方に向けて移動すると、この前方閉塞部材４０が取り付けられていた商品載置棚２６，２７の上方域は、開放状態になる。つまり、前方閉塞部材４０は、必要に応じて自身が取り付けられた商品載置棚２６，２７の上方域を閉塞するものである。
【００４３】
その後、把手部から手が離されると、前方閉塞部材４０は棚板２８とともにフリーな状態になる。このようにフリーな状態になると、前方閉塞部材４０は棚板２８とともに後方に向けて移動し、棚板２８が収納位置に位置することにより、再び当該商品載置棚２６，２７の上方域を閉塞することになる。
【００４４】
このような前方閉塞部材４０により必要に応じて閉塞される上方域を臨む背面パネル３には、導入口５０が設けてあるとともに、導入ファンＦ２が設けてある。導入口５０は、空気通路１１である内方通路１４ｂに連通する開口である。導入ファンＦ２は、導入口５０の前方側に配設してあり、自身が駆動することにより導入口５０を通じて蒸発器１５で冷却された空気（冷気）の一部を商品載置棚２６，２７の上方域に導入する冷気導入手段である。この導入ファンＦ２の前方側にはシャッタ機構５１が付設してある。シャッタ機構５１は、開閉可能なものであり、図１に示すように開成する場合には、導入口５０を通じての冷気の導入を許容するものである一方、図５に示すように閉成する場合には、導入口５０を通じての冷気の導入を規制するものである。
【００４５】
上記ケース本体１においては、収納室２を画成する底壁４の前端部にはスリットが形成してあり、かかるスリットにより形成される開口でスリット型吸込口４ａを構成している。かかるスリット型吸込口４ａは、下方ダクト１１ａに連通するものである。
【００４６】
以上のような構成を有するショーケースでは、循環ファンＦ１に指令を与えて駆動させることにより、各商品載置棚２１〜２７に載置された商品を所望の温度に保持することができる。
【００４７】
循環ファンＦ１の駆動により、収納室２の内部の空気は、吸込口１２を通じて吸い込まれ、下方ダクト１１ａを通過し、その途中から外方通路１４ａ及び内方通路１４ｂのいずれかに進入する。外方通路１４ａに進入した空気は、背面ダクト１１ｂ及び上方ダクト１１ｃを通じて前側吹出口１３ａに至り、前側吹出口１３ａから吹き出される。この前側吹出口１３ａから吹き出された空気は、吸込口１２に向けて流れ、前面開口１ａからの外気の進入を遮断することになる。
【００４８】
一方、下方ダクト１１ａの途中から内方通路１４ｂに進入した空気は、蒸発器１５を通過して冷却され、冷気となって背面ダクト１１ｂ及び上方ダクト１１ｃを通過し、後側吹出口１３ｂから吹き出される。この後側吹出口１３ｂから吹き出された空気（冷気）は、吸込口１２に向けて流れることにより、収納室２の内部にある商品、すなわち主に商品載置棚２１〜２５に載置された商品を冷却することになる。
【００４９】
そして、上から６段目の商品載置棚２６及び最下段の商品載置棚２７の上方域は、次のようにして局所的に冷却される。循環ファンＦ１だけでなく導入ファンＦ２も駆動し、更にシャッタ機構５１が開成されていると、蒸発器１５を通過した空気の一部は、導入口５０を通じて当該商品載置棚２６，２７の上方域に流入する。上方域に流入した空気は、前方に向けて通過し、吐出口４１１を通じて上方域外部に吐出される。ここで上から６段目の商品載置棚２６の上方域を通過した空気は、吐出口４１１を通じて最下段の商品載置棚２７の上方域に一旦流入し、その後に当該商品載置棚２７に設けられた前方閉塞部材４０の吐出口４１１を通じて外部に吐出される。このようにして吐出された空気は、その後にスリット型吸込口４ａを通じて下方ダクト１１ａに進入し、循環ファンＦ１及び導入ファンＦ２の駆動により上記移動を繰り返す。これにより、上から６段目の商品載置棚２６及び最下段の商品載置棚２７の上方域は、前方閉塞部材４０により閉塞されている場合には局所的に冷却される。
【００５０】
その後、当該商品載置棚２６に載置された商品を利用者が取り出す場合には、利用者が商品載置棚２６に取り付けられた前方閉塞部材４０の把手部を把持して、前方に向けて引き出すことになる。そうすると、図４に示したように、棚板２８及び前方閉塞部材４０が前方に向けて移動し、該商品載置棚２６の上方域は開放状態になる。これにより利用者は、該商品載置棚２６に載置された商品を取り出すことができる。所望の商品を取り出した利用者は、把手部から手を離すだけでよい。これにより棚板２８及び前方閉塞部材４０がフリーな状態になり、棚板２８及び前方閉塞部材４０は自身の自重等により後方に向けて移動し、図１に示したように、棚板２８が収納位置に位置することにより、前方閉塞部材４０が再び当該商品載置棚２６の上方域を閉塞する。
【００５１】
ところで、上記ショーケースにおいて蒸発器１５に付着した霜を除去する除霜運転を行う場合には、図５に示すようにシャッタ機構５１を閉成させればよい。これによって局所的に冷却した上から６段目の商品載置棚２６及び最下段の商品載置棚２７の上方域には、導入口５０を通じて空気が流入することなく、当該上方域にある商品に損傷等を与えることを抑制することができる。
【００５２】
以上のような構成を有する本実施の形態１であるショーケースによれば、任意の商品載置棚２６，２７の前端部に配設された前方閉塞部材４０が、該商品載置棚２６，２７の上方域を必要に応じて閉塞し、導入ファンＦ２が駆動することにより蒸発器１５により冷却された空気の一部を導入口５０から上方域に流入させ、水平前延部４１に設けられた吐出口４１１から導入ファンＦ２により流入された空気を該上方域外部に吐出させるので、当該上方域の全域に蒸発器１５で冷却された空気の一部を通過させることが可能になり、これにより当該商品載置棚２６，２７の上方域を局所的に冷却することができる。
【００５３】
上記ショーケースによれば、商品載置棚２６，２７を構成する棚板２８が、前方へ引出操作された場合には前方に向けて移動する一方、フリーな状態となる場合には後方側への移動限界位置である収納位置に位置するので、利用者は、前方閉塞部材４０の把手部を把持して引出操作だけすればよく、当該商品載置棚２６，２７に載置された商品を取り出した後は、前方閉塞部材４０の把手部から手を離すだけで良い。これにより、当該商品載置棚２６，２７の上方域を局所的に冷却するとともに、該商品載置棚２６，２７に載置された商品の取り出しを良好なものとすることができる。
【００５４】
また、上記ショーケースによれば、シャッタ機構５１が開成、あるいは閉成することにより、導入口５０を通じての冷気の導入を許容、あるいは規制するので、蒸発器１５に付着した霜を取り除く除霜運転を行う場合には、霜を取り除くのに利用した暖気が商品載置棚２６，２７の上方域に流入することを防止し、当該上方域にある商品が損傷等してしまうことを抑制することができる。
【００５５】
以上、本発明の好適な実施の形態１について説明したが、本発明はこれに限定されるものではなく、種々の変更を行うことができる。
【００５６】
例えば、図６に示すように、上記棚板２８の下部、すなわち棚下には、蓄冷材６０を配置するようにしても良い。ここで図６中の符号６１は、蓄冷材６０を保持するための支持部材である。かかる蓄冷材６０を配置することにより、上記棚板２８の上面２８１に載置される商品を冷却することが可能になり、特に除霜運転を行っている場合に、該商品を良好に冷却することができる。
【００５７】
＜実施の形態２＞
図７は、本発明の実施の形態２であるショーケースの内部構造を側方から見た場合を示す断面側面図である。尚、上述した実施の形態１と同様の構成を有するものには同一の符号を付してその説明を適宜省略する。
【００５８】
この図７に例示するショーケースは、ケース本体１′を備えている。かかるケース本体１′における収納室２には、複数（図示の例では５つ）の商品載置棚７１，２２〜２５が上下方向に沿って複数段に並べて配設してある。これら複数の商品載置棚７１，２２〜２５のうち、最上位の商品載置棚７１以外は、従来公知のものであるため、かかる商品載置棚２２〜２５の説明を割愛する。
【００５９】
図８は、図７に示した最上位の商品載置棚７１を拡大して示す説明図である。この商品載置棚７１は、棚板７２及び閉塞部７４を備えて構成してある。
【００６０】
棚板７２は、例えば鋼板等を適宜屈曲させて形成した平板状をなすものである。この棚板７２の上面は、収納対象となる商品を載置する商品載置面を構成している。この棚板７２の後端部には係合片７３が設けてあり、かかる係合片７３が収納室２の背面を構成する背面パネル３に設けられた図示せぬ係止孔に挿入して背面パネル３に係合することにより棚板７２が背面パネル３に支持される。
【００６１】
閉塞部７４は、例えば透光性のある樹脂材から形成されたものであり、該商品載置棚７１の上方域を閉塞するものである。より詳細には、閉塞部７４は、自身の前端部分が棚板７２の前方に設けられた水平前延部７６に接合することにより該商品載置棚７１の上方域を閉塞するものである。
【００６２】
このような閉塞部７４の前方側には、前方の臨む開口７４ａが形成してあり、かかる開口７４ａは、前面扉７５により開閉される。ここで前面扉７５は、図８中の矢印方向に沿ってスライド移動可能に設けてあり、上方に向けて開動作する一方、下方に向けて閉動作するものである。つまり、前面扉７５が閉動作して開口７４ａを閉成する場合には、商品載置棚７１の上方域が閉塞部７４に閉塞され、前面扉７５が開動作して開口７４ａを開成する場合には、商品載置棚７１の上方域の閉塞が解除される。
【００６３】
上記棚板７２の後方側には、導入ファンＦ３が設けてある。かかる導入ファンＦ３は、駆動することにより、背面パネル３に設けた図示せぬ導入口より蒸発器１５で冷却された空気（冷気）の一部を商品載置棚７１の上方域に導入する冷気導入手段である。
【００６４】
水平前延部７６は、棚板７２の前端部から前方に向けて延在する部位であり、左右幅が棚板７２の左右幅と等しい大きさを有している。この水平前延部７６には、ハニカム構造を有する整流部材７６ａが設けられることにより吐出口が形成してある。整流部材７６ａは、吐出される空気の流れを整えるもので、より詳細には、吐出口を通過する空気を吸込口１２に向けて吐出させるものである。
【００６５】
以上のような構成を有するショーケースでは、循環ファンＦ１に指令を与えて駆動させることにより、各商品載置棚７１，２２〜２５に載置された商品を所望の温度に保持することができる。
【００６６】
循環ファンＦ１の駆動により、収納室２の内部の空気は、吸込口１２を通じて吸い込まれ、下方ダクト１１ａを通過し、その途中から外方通路１４ａ及び内方通路１４ｂのいずれかに進入する。外方通路１４ａに進入した空気は、背面ダクト１１ｂ及び上方ダクト１１ｃを通じて前側吹出口１３ａに至り、前側吹出口１３ａから吹き出される。この前側吹出口１３ａから吹き出された空気は、吸込口１２に向けて流れ、前面開口１ａからの外気の進入を遮断することになる。
【００６７】
一方、下方ダクト１１ａの途中から内方通路１４ｂに進入した空気は、蒸発器１５を通過して冷却され、冷気となって背面ダクト１１ｂ及び上方ダクト１１ｃを通過し、後側吹出口１３ｂから吹き出される。この後側吹出口１３ｂから吹き出された空気（冷気）は、吸込口１２に向けて流れることにより、収納室２の内部にある商品、すなわち主に商品載置棚７１，２２〜２５に載置された商品を冷却することになる。
【００６８】
そして、最上位の商品載置棚７１の上方域は、次のようにして局所的に冷却される。循環ファンＦ１だけでなく導入ファンＦ３も駆動していると、蒸発器１５を通過した空気の一部は、導入口を通じて当該商品載置棚７１の上方域に流入する。上方域に流入した空気は、前方に向けて通過し、整流部材７６ａにより流れが整えられて吐出口より上方域外部に吐出される。このように吐出口より吐出された空気は、吸込口１２より下方ダクト１１ａに進入し、循環ファンＦ１及び導入ファンＦ３の駆動により上記移動を繰り返す。これにより、最上位の商品載置棚７１の上方域は、前面扉７５が閉動作して閉塞部７４により閉塞されている場合には局所的に冷却される。
【００６９】
その後、当該商品載置棚７１に載置された商品を利用者が取り出す場合には、利用者が前面扉７５を開動作させればよい。そうすると、閉塞部７４の開口７４ａが開成され、該商品載置棚７１の上方域は開放状態になる。これにより利用者は、該商品載置棚７１に載置された商品を取り出すことができる。所望の商品を取り出した利用者は、前面扉７５を閉動作させれば、閉塞部７４の開口７４ａが閉成されて、閉塞部７４が再び当該商品載置棚７１の上方域を閉塞する。
【００７０】
以上のような構成を有する本実施の形態２であるショーケースによれば、商品載置棚７１の上方域を必要に応じて閉塞し、導入ファンＦ３が駆動することにより蒸発器１５により冷却された空気の一部を導入口から上方域に流入させ、水平前延部７６に設けられた吐出口から導入ファンＦ３により流入された空気を該上方域外部に吐出させるので、当該上方域の全域に蒸発器１５で冷却された空気の一部を通過させることが可能になり、これにより当該商品載置棚７１の上方域を局所的に冷却することができる。
【００７１】
特に棚板７２の係合片７３を背面パネル３の任意の係止孔に挿入して係合させることで棚板７２を背面パネル３に支持させることができ、しかも吐出口を形成する整流部材７６ａが吐出される空気の流れを整えるので、商品載置棚７１の取付位置は、最下位や最上位だけに限られず、図９に示すように上から４段目となる個所に取り付けても通過空気を吸込口に吐出させることができ、これにより任意の個所の取り付けることができる。つまり、既存のショーケースにも適用することができ、汎用性に優れたものとなる。
【００７２】
以上、本発明の好適な実施の形態２について説明したが、本発明はこれに限定されるものではなく、種々の変更を行うことができる。
【００７３】
例えば、上述した実施の形態２では、整流部材７６ａとしてハニカム構造のものを適用したが、本発明においては、ベーン構造のもの等種々のものを整流部材７６ａとして適用することができる。
【産業上の利用可能性】
【００７４】
以上のように、本発明に係るショーケースは、収納対象となる商品を所望の温度状態に保持するのに有用である。
【符号の説明】
【００７５】
１，１′  ケース本体
２  収納室
３  背面パネル
４  底壁
４ａ  スリット型吸込口
１０  空気循環手段
１１  空気通路
１２  吸込口
１３  吹出口
１５  蒸発器
２１  商品載置棚
２２  商品載置棚
２３  商品載置棚
２４  商品載置棚
２５  商品載置棚
２６  商品載置棚
２７  商品載置棚
２８  棚板
２９  ブラケット
３０  レール部材
４０  前方閉塞部材
４１  水平前延部
４１１  吐出口
４２  閉塞部
４３  水平天板部
５０  導入口
５１  シャッタ機構
６０  蓄冷材
７１  商品載置棚
７２  棚板
７３  係合片
７４  閉塞部
７４ａ  開口
７５  前面扉
７６  水平前延部
７６ａ  整流部材
Ｆ１  循環ファンＦ１
Ｆ２  導入ファンＦ３
Ｆ３  導入ファン
【図１】
2012010717.tif 000003
【図２】
2012010717.tif 000004
【図３】
2012010717.tif 000005
【図４】
2012010717.tif 000006
【図５】
2012010717.tif 000007
【図６】
2012010717.tif 000008
【図７】
2012010717.tif 000009
【図８】
2012010717.tif 000010
【図９】
2012010717.tif 000011